(57)【要約】【課題】  少ない部品点数により防水対策のできる記録装置及び電子機器を提供する。【解決手段】  記録機構部を制御する第１の基板１０および第２の基板を備え、第１の基板１０をベースフレーム２４の開口２４ａを貫通させて起立状態で配置し、このベースフレーム２４の下で第１の基板１０と第２の基板とを接続すると共に、前記第１の基板１０を起立状態で囲う基板カバー１３を備えた記録装置において、前記ベースフレーム２４の開口２４ａ周縁に起立部２４ｂを形成し、この起立部２４ｂの外方を囲うように前記基板カバーの下端Ｂに基板カバー庇部１３ｅを形成し、この基板カバー庇部１３ｅと前記基板カバー１３の下端との間にシート部材４０を張設し、このシート部材４０に前記起立部２４ｂの上端Ｐを圧接させた。【選択図】      図７
2007050618.tif 000002
【特許請求の範囲】
【請求項１】
記録機構部を制御する第１の基板および第２の基板を備え、第１の基板をベースフレームの開口を貫通させて起立状態で配置し、このベースフレームの下で第１の基板と第２の基板とを接続すると共に、前記第１の基板を起立状態で囲う基板カバーを備えた記録装置において、前記ベースフレームの開口周縁に起立部を形成し、この起立部の外方を囲うように前記基板カバーの下端に基板カバー庇部を形成し、この基板カバー庇部と前記基板カバーの下端との間にシート部材を張設し、このシート部材に前記起立部の上端を圧接させたことを特徴とする記録装置。
【請求項２】
前記シート部材は、前記基板カバーの幅一杯に延在することを特徴とする請求項１に記載の記録装置。
【請求項３】
電子機器本体を制御する第１の基板および第２の基板を備え、第１の基板をベースフレームの開口を貫通させて起立状態で配置し、このベースフレームの下で第１の基板と第２の基板とを接続すると共に、前記第１の基板を起立状態で囲う基板カバーを備えた電子機器において、前記ベースフレームの開口周縁に起立部を形成し、この起立部の外方を囲うように前記基板カバーの下端に基板カバー庇部を形成し、この基板カバー庇部と前記基板カバーの下端との間にシート部材を張設し、このシート部材に前記起立部の上端を圧接させたことを特徴とする電子機器。
【請求項４】
前記シート部材は、前記基板カバーの幅一杯に延在することを特徴とする請求項３に記載の電子機器。
【発明の詳細な説明】
【技術分野】
【０００１】
本発明は、記録機構部を覆う外装カバーの排紙口の下方に第１の基板を起立状態で配置した記録装置及び電子機器に関する。
【背景技術】
【０００２】
一般に、ベースフレームの下側に、紙送りモータ、印字ヘッド等の記録機構部を動かすメイン基板（主回路基板）等の基板を、横置きに配置した記録装置が知られている。
この種のものでは、ベースフレームの下側の空間が狭隘なため、この空間内にインタフェース基板等の他の基板を追加配置するのは困難であった。
【０００３】
これを解消するため、メイン基板をベースフレームの上側の空間に縦置きで配置し、インタフェース基板等の他の基板を、ベースフレームの下側に追加配置したものが提案されている（例えば、特許文献１参照）。この場合、上記メイン基板は、ベースフレームの開口を貫通して、ベースフレームの下側で、インタフェース基板等の他の基板にコネクタを介して接続されるのが一般的である。
【特許文献１】特開２００４−２９９４０７号公報
【発明の開示】
【発明が解決しようとする課題】
【０００４】
しかしながら、上述した構成では、外装カバーの排紙口の下方にメイン基板が起立状態に配置されるため、排紙口等から誤って液体が流下した場合、この液体がメイン基板に付着し易いという問題があった。これによるプリンタの誤動作を避けるために、メイン基板の上部に、防水のためのカバー部材や密閉部材を新たに設けた場合、部品点数が増え、コスト増になるという問題があった。
【０００５】
本発明は、上述した事情に鑑みてなされたものであり、少ない部品点数により防水対策のできる記録装置及び電子機器を提供することを目的とする。
【課題を解決するための手段】
【０００６】
本発明は、記録機構部を制御する第１の基板および第２の基板を備え、第１の基板をベースフレームの開口を貫通させて起立状態で配置し、このベースフレームの下で第１の基板と第２の基板とを接続すると共に、前記第１の基板を起立状態で囲う基板カバーを備えた記録装置において、前記ベースフレームの開口周縁に起立部を形成し、この起立部の外方を囲うように前記基板カバーの下端に基板カバー庇部を形成し、この基板カバー庇部と前記基板カバーの下端との間にシート部材を張設し、このシート部材に前記起立部の上端を圧接させたことを特徴とするものである。
この構成では、例えば誤って液体が流下してベースフレーム上に溜まった状態で、記録装置を傾けた場合であっても、基板カバー庇部と前記基板カバーの下端との間に張設されたシート部材と前記起立部の上端とが圧接するため、この液体は、シート部材と起立部との間で封水されることにより、基板カバー庇部と前記基板カバーの下端との間を通って浸入することがなく、基板に付着することがない。
【０００７】
この場合において、前記シート部材は、前記基板カバーの幅一杯に延在させてもよい。本構成では、シート部材が、基板カバーの幅一杯に延在しているため、基板カバーの幅一杯に防水対策を実行することができる。
【０００８】
本発明は、電子機器本体を制御する第１の基板および第２の基板を備え、第１の基板をベースフレームの開口を貫通させて起立状態で配置し、このベースフレームの下で第１の基板と第２の基板とを接続すると共に、前記第１の基板を起立状態で囲う基板カバーを備えた電子機器において、前記ベースフレームの開口周縁に起立部を形成し、この起立部の外方を囲うように前記基板カバーの下端に基板カバー庇部を形成し、この基板カバー庇部と前記基板カバーの下端との間にシート部材を張設し、このシート部材に前記起立部の上端を圧接させたことを特徴とするものである。
この構成では、例えば誤って液体が流下してベースフレーム上に溜まった状態で、記録装置を傾けた場合であっても、基板カバー庇部と前記基板カバーの下端との間に張設されたシート部材と前記起立部の上端とが圧接するため、この液体は、シート部材と起立部との間で封水されることにより、基板カバー庇部と前記基板カバーの下端との間を通って浸入することがなく、基板に付着することがない。
【０００９】
この場合において、前記シート部材は、前記基板カバーの幅一杯に延在させてもよい。本構成では、シート部材が、基板カバーの幅一杯に延在しているため、基板カバーの幅一杯に防水対策を実行することができる。
【発明の効果】
【００１０】
本発明では、液体がベースフレーム上に溜まった状態で、記録装置を傾けた場合であっても、基板カバー庇部と前記基板カバーの下端との間に張設されたシート部材と前記起立部の上端とが圧接するため、この液体は、基板カバー庇部と前記基板カバーの下端との間を通って浸入せず、基板に付着することがない。
【発明を実施するための最良の形態】
【００１１】
以下、図面を参照して本発明の実施の形態について説明する。
図１は、本発明を適用した一実施形態に係るサーマルプリンタ１００の外観斜視図である。サーマルプリンタ１００は、ライン状に複数の発熱抵抗体が配置されたサーマルヘッド８（図４）により、主にロール状のサーマル紙（感熱紙）である記録媒体（以下、ロール紙とする。）の記録面に対して、文字を含む画像を記録するものである。
サーマルプリンタ１００は、図１に示すように、メインケース１を中心とした略箱形の外装を有する。メインケース１は、サーマルプリンタ１００の前面、背面、左右面、上面を兼ね、メインケース１の上面前部には、カッタカバー３が配置されている。このカッタカバー３は、自動でロール紙を切断するオートカッタユニット９（図２）の設定等を行う際に開かれる。
【００１２】
カッタカバー３の前面は中央が凹んでいると共に、この凹みの下部は開口し、メインケース１の前面に設けられたコントロールパネル６が位置する。このコントロールパネル６は、ロール紙を送り出す紙送りボタン６ａ、サーマルプリンタ１００の動作状態を報知するインジケータ６ｂ等を備える。また、メインケース１の前部の隅には、サーマルプリンタ１００の電源をＯＮ／ＯＦＦする電源スイッチ５が配置されている。
メインケース１の上面後部には、ロール紙カバー２が配置されている。このロール紙カバー２は、ロール紙を装填する際等に開かれる。メインケース１の上面後部と、ロール紙カバー２の前部とで、ロール紙が排出される排紙口１６を形成している。この排紙口１６のメインケース１側には、マニュアルカッタ４が設けられている。このマニュアルカッタ４に、排紙口１６から排出されたロール紙を押し付けることにより、ロール紙を手切りすることができる。
【００１３】
図２は、記録機構部２０の斜視図である。
サーマルプリンタ１００は、メインケース１に記録機構部２０を内蔵する。この記録機構部２０は、本体フレーム２０ｆとしての左サイドフレーム２１、右サイドフレーム２２、及びベースフレーム２４を備えている。このベースフレーム２４は、略水平の上板の前辺及び左右辺が下方に略直角に折り曲げられている。そして、この折り曲げられた部分は、前側板２４ｄ、左側板２４ｅ、右側板２４ｆを形成している。前側板２４ｄの隅部には、電源スイッチ５が配置されている。また、左側板２４ｅ及び右側板２４ｆには、サーマルプリンタ１００を床面上に支持する脚部２８が、それぞれ２つずつ配置されている。
【００１４】
図３は、本体フレーム２０ｆの背面斜視図である。
ベースフレーム２４の上部には、左サイドフレーム２１及び右サイドフレーム２２が、記録機構部２０の両端部において、互いに対向するように配置されている。この左サイドフレーム２１と右サイドフレーム２２との間には、図２に示すように、フロントフレーム２３が掛け渡されている。
左サイドフレーム２１及び右サイドフレーム２２の前部には、図３に示すように、ベースフレーム２４に対して略垂直に、フロント基板カバー１２及びリア基板カバー１３が配置されている。そして、その上部には、オートカッタユニット９が配置されている。
左サイドフレーム２１及び右サイドフレーム２２の後部には、図２に示すように、ロール紙を収容するロール紙ホルダ２６が配置されている。さらに、左サイドフレーム２１及び右サイドフレーム２２の後方上端には、ヒンジ２７により、ロール紙カバーフレーム２５が支持されている。ロール紙カバーフレーム２５に固定されたロール紙カバー２（図１）は、ヒンジ２７を支点に後方に開く。
【００１５】
つぎに、上述した記録機構部２０について説明する。図４は、サーマルプリンタ１００の断面図である。
ロール紙ホルダ２６とフロントフレーム２３との間には、左サイドフレーム２１から右サイドフレーム２２に亘って、ヘッドフレーム８０が配置されている。このヘッドフレーム８０には、サーマルヘッド８が配置され、このサーマルヘッド８の上方には、オートカッタユニット９が配置されている。オートカッタユニット９は可動刃９ａを内蔵しており、オートカッタユニット９の後方には固定刃９ｂが、可動刃９ａと対向するように配置されている。
【００１６】
オートカッタユニット９の底板は、可動刃９ａと固定刃９ｂとの間で、その端部が上方に曲げられ、ガイド９ｃを形成している。
このガイド９ｃが形成されていることにより、ロール紙は排紙口１６に向かって滑らかに可動刃９ａと固定刃９ｂとの間を通過することができる。オートカッタユニット９の上方には排紙口１６が設けられており、この排紙口１６の前部にはマニュアルカッタ４が設けられている。
【００１７】
また、サーマルヘッド８の後方には、プラテン７がサーマルヘッド８に対向して配置されている。このプラテン７は、ロール紙の搬送機構も兼ねている。
プラテン７及び固定刃９ｂは、ロール紙カバーフレーム２５の前部に支持されている。ロール紙カバー２を開くときに、プラテン７と固定刃９ｂとは、ロール紙カバーフレーム２５と共に後方に開く。即ち、ロール紙カバー２を開くときには、サーマルヘッド８及び可動刃９ａと、プラテン７及び固定刃９ｂとの間隔が遠ざかる。
プラテン７の後方の、左サイドフレーム２１と右サイドフレーム２２との間には、ロール紙を収納するロール紙ホルダ２６が配置されている。ロール紙ホルダ２６にはロール紙の残量を検出するニアエンド検出器１７が配置されている。そして、このニアエンド検出器１７は、検出結果に基づいてインジケータ６ｂにより、ロール紙の残量を報知する。
【００１８】
排紙口１６の下方であって、オートカッタユニット９の下方には、制御基板用のシールドのために必須に配置されるフロント基板カバー１２及びリア基板カバー１３が配置されている。そして、このフロント基板カバー１２とリア基板カバー１３との間には、リア基板カバー１３上に、メイン基板（第１の基板）１０が縦置きに配置されている。
メイン基板１０は、サーマルプリンタ１００全体を制御する制御基板である。メイン基板１０の上部には、フラットケーブルコネクタ１０ｆが設けられている。このフラットケーブルコネクタ１０ｆには、フラットケーブル１５が差し込まれている。そして、メイン基板１０は、フラットケーブルコネクタ１０ｆからフラットケーブル１５を介して、サーマルヘッド８に接続されている。
【００１９】
フロント基板カバー１２、リア基板カバー１３、及び、メイン基板１０は、ベースフレーム２４に設けられたベースフレーム開口部２４ａを貫通しており、底板２９近傍まで延びている。リア基板カバー１３には、ベースフレーム２４よりも下方にリア基板カバー開口部１３ａが設けられており、このリア基板カバー開口部１３ａを通って、インタフェース基板（第２の基板）１１が基板コネクタ１０ｉを介して、メイン基板１０に略垂直に差し込まれている。インタフェース基板１１の後端には、サーマルプリンタ１００をコンピュータやキャッシュドロア等の各種機器に接続するためのインタフェースコネクタ１１ｉが配置されている。
インタフェース基板１１の下方をカバーする底板２９は、後端が略直角に上方に折り曲げられている。底板２９の上方に折り曲げられた部分には、底板開口部２９ａが設けられている。インタフェース基板１１は、底板開口部２９ａまで延びている。そして、サーマルプリンタ１００に接続される各種機器は、底板開口部２９ａを介して、インタフェース基板１１に接続される。
【００２０】
ロール紙をサーマルプリンタ１００にセットする際には、まず、ロール紙カバー２を開く。次に、ロール紙の端部を排紙口１６から少し引き出しつつ、ロール紙をロール紙カバーフレーム２５に配置する。そして、ロール紙カバー２を閉じると、ロール紙が、プラテン７とサーマルヘッド８との間、及び可動刃９ａと固定刃９ｂとの間に挟みこまれ、ロール紙のセットが完了する。
サーマルヘッド８が、ロール紙に文字や画像を記録すると、プラテン７によりロール紙が搬送される。ロール紙の、文字や画像が記録された部分が、排紙口１６から外部に紙出されたところで、この部分はオートカッタユニット９により切り離される。
【００２１】
図５は、メイン基板１０近傍の背面斜視図を示す。
上述したベースフレーム開口部２４ａの周縁は、全周に亘って、絞り加工あるいはバーリング加工により上方に曲げられ、起立部２４ｂを形成している。リア基板カバー１３の後部は、ベースフレーム開口部２４ａ近傍にあるリア基板カバー下端Ｂで、左サイドフレーム２１（図３）と右サイドフレーム２２（図３）との間の略全域に亘って、外側に略直角に折り曲げられている。この外側に折り曲げられたリア基板カバー１３は、さらに下方に略直角に折り曲げられて庇部前面１３ｆを形成している。これにより、リア基板カバー下端Ｂには、ベースフレーム開口部２４ａの後部を覆う、クランク状のリア基板カバー庇部１３ｅが形成されている。そして、このリア基板カバー庇部１３ｅの幅は、メイン基板１０のベースフレーム開口部２４ａに差し込まれた部分と、略同寸法の幅である。
【００２２】
図６は、リア基板カバー１３の斜視図である。
リア基板カバー庇部１３ｅには、リア基板カバー庇部１３ｅの端部である庇端部Ａとリア基板カバー下端Ｂとの間に位置するように、テープ（シート部材）４０が架け渡されて張設されている。そして、テープ４０とリア基板カバー庇部１３ｅとの間には、空間３０が形成されている。このテープ４０は弾力性を有する片面粘着テープであり、庇端部Ａ側が庇部前面１３ｆに貼り付けられ、リア基板カバー下端Ｂ側がリア基板カバー裏面１３ｂの下部に貼り付けられている。
【００２３】
テープ４０が貼り付けられたリア基板カバー１３は、図４に示すように、フロント基板カバー１２の内側に配置されたメイン基板１０に配置される。このメイン基板１０は、フロント基板カバー１２に配置されており、リア基板カバー１３は、フロント基板カバー１２と共にメイン基板１０を囲むように配置されている。フロント基板カバー１２には、左サイドフレーム２１（図３）及び右サイドフレーム２２（図３）が取り付けられている。そして、フロント基板カバー１２は、この左サイドフレーム２１及び右サイドフレーム２２を介してベースフレーム２４に配置される。このとき、リア基板カバー１３は、メイン基板１０及びフロント基板カバー１２と共に、ベースフレーム開口部２４ａに差し込まれる。
【００２４】
図７は、テープ４０の取り付け部の拡大断面図である。
ベースフレーム開口部２４ａは、起立部２４ｂの上端である起立部上端Ｐが、庇端部Ａとリア基板カバー下端Ｂとを結んだ線Ｌより上方に突出している。そして、起立部２４ｂは、起立部上端Ｐでテープ４０に当接する。このとき、テープ４０は、起立部２４ｂにより、リア基板カバー庇部１３ｅ側に押し込まれる。これにより、テープ４０に復元力が生じ、テープ４０と起立部上端Ｐとが圧接される。
テープ４０が張設されているリア基板カバー１３の上端は、図５に示すように、メイン基板１０側に略直角に折り曲げられて略水平方向に延出し、メイン基板１０近傍まで達するリア基板カバー上板１３ｒを形成している。そして、リア基板カバー庇部１３ｅの下方には、インタフェース基板１１の挿入口としてのリア基板カバー開口部１３ａが、リア基板カバー庇部１３ｅの幅と略同寸法で設けられている。
【００２５】
フロント基板カバー１２は、上辺が略全域に亘って後方に折り曲げられ、略水平方向に延出するフロント基板カバー上板１２ｒを形成する。そして、フロント基板カバー上板１２ｒの後部の、左サイドフレーム２１（図３）と右サイドフレーム２２（図３）とで挟まれた部分は、下方に折り曲げられ、リア基板カバー１３の上部を覆うように延出したフロント基板カバー庇部１２ｅを形成する。
フロント基板カバー１２とリア基板カバー１３とにより、メイン基板１０は略密閉されている。しかし、フロント基板カバー庇部１２ｅの裏側であって、フロント基板カバー庇部１２ｅとリア基板カバー上板１３ｒとの間には、隙間１４が設けられている。そして、この隙間１４には、フラットケーブルコネクタ１０ｆが設けられている。図４に示すように、サーマルヘッド８から延びるフラットケーブル１５は、フロント基板カバー庇部１２ｅとリア基板カバー１３との隙間１４を通って、フラットケーブルコネクタ１０ｆに接続される。
【００２６】
上記構成によりメインケース１内部に液体が浸入した場合でも、メイン基板（第１の基板）１０、及びインタフェース基板（第２の基板）１１に不都合は生じない。
図４では、メインケース１の上面後部と、ロール紙カバー２の前部とで、ロール紙が排出される排紙口１６が形成されている。このため、メインケース１の上面後部、或いはロール紙カバー２の前部に、お茶、珈琲等の液体をこぼした場合、この液体が、排紙口１６からメインケース１の内部に浸入する。この場合、メインケース１の内部に浸入した液体は、大きく分けて２つのルートで流れる。１つ目のルートは、サーマルヘッド８を介して流れるルートである。
【００２７】
浸入した液体の一部は、ロール紙の搬送路に沿って、可動刃９ａと固定刃９ｂの間を通過し、サーマルヘッド８に流れる。そして、この液体は、サーマルヘッド８の下方に接続されたフラットケーブル１５に沿って流れる。このフラットケーブル１５は、フラットケーブルコネクタ１０ｆとヘッドフレーム８０との間で垂れ下がっている。フラットケーブル１５を流れる液体は、フラットケーブル１５の垂れ下がった部分の、最下部でベースフレーム２４の上に滴下する。
このルートで流れた場合、殆どの液体が、ベースフレーム２４の上に滴下する。ベースフレーム２４には、ベースフレーム開口部２４ａが設けられているが、ベースフレーム開口部２４ａは、周縁部に起立部２４ｂを備えている。このため、通常、ベースフレーム２４に流れた液体が、ベースフレーム開口部２４ａを通って、ベースフレーム２４の下方へ流れることはない。従って、通常、上記排紙口１６から浸入した液体が、インタフェース基板１１に付着することはない。
【００２８】
２つ目のルートは、オートカッタユニット９を介して、液体が流れるルートである。オートカッタユニット９には、ガイド９ｃが設けられている。これにより、浸入した液体の一部は、このガイド９ｃからオートカッタユニット９の中に流れ込む。オートカッタユニット９の底板には、無数の孔が設けられている。このため、オートカッタユニット９に流れ込んだ液体は、この孔からフロント基板カバー上板１２ｒに滴下する。
フロント基板カバー上板１２ｒに滴下した液体は、フロント基板カバー庇部１２ｅを伝って、その端部からフラットケーブル１５、ベースフレーム２４あるいはリア基板カバー庇部１３ｅに滴下する。
【００２９】
ベースフレーム２４に滴下した液体は、通常の状態では、図７に示す起立部上端Ｐまで到達することはなく、起立部２４ｂによりメイン基板１０及びインタフェース基板１１への浸入が防がれている。しかしながら、サーマルプリンタ１００を、矢印Ｃに示すように前方に傾けたときには、ベースフレーム２４上に滴下して溜まった液体は、メイン基板１０側に流れる。このとき、この液体は、起立部上端Ｐを越えてテープ４０に達するが、テープ４０に起立部上端Ｐが圧接されていることにより、メイン基板１０及びインタフェース基板１１へ付着することはない。そして、テープ４０はリア基板カバー１３の幅一杯に延在しているため、テープ４０に達した液体は、テープ４０に沿って左右に流れ、ベースフレーム２４の側面等から下方へと流れ落ちる。
【００３０】
本構成では、上記紙出口１６から浸入した液体がベースフレーム２４上に溜まった状態で、サーマルプリンタ１００を傾けた場合であっても、庇端部Ａとリア基板カバー下端Ｂとの間にテープ４０を張設し、このテープ４０に起立部２４ｂの起立部上端Ｐを圧接させたことにより、この液体は、起立部２４ｂとリア基板カバー庇部１３ｅとの間を通って、基板に付着することがない。
また、テープ４０はリア基板カバー１３に貼り付けられて、テープ４０とリア基板カバー１３とが一体の部品として本体フレーム２０ｆに組み込まれている。これにより、テープ４０が貼り付けられたリア基板カバー１３を、ベースフレーム開口部２４ａに挿入するだけで、テープ４０と起立部上端Ｐとが圧接され、テープ４０と起立部２４ｂとの間で防水対策がなされる。
さらに、リア基板カバー１３を本体フレーム２０ｆに組み込む際に、リア基板カバー１３と本体フレーム２０ｆとの間に生じた隙間を、テープ等のシート部材や充填材で塞ぐ作業が不要となる。これにより、修理等でリア基板カバー１３を、本体フレーム２０ｆから取り外したり、本体フレーム２０ｆに組み込んだりする作業が容易となる。
【００３１】
以上、一実施形態に基づいて本発明を説明したが、本発明は、これに限定されるものではない。例えば、上記構成において、シール部材として、弾力性を有する片面粘着テープを用いたが、これに限らず、弾力性を有していれば、ゴム製の板状シール部材等であってもよい。
上記実施形態では、記録装置としてサーマルプリンタを例示したが、これに限らず、例えばドットインパクト方式やインクジェット方式のプリンタ、複写機やファクシミリなどの電子写真方式により画像を記録する記録装置であってもよい。
さらに、上記実施形態に限定されず、プロジェクタ、パーソナルコンピュータ、電子式置き時計、フィルムスキャナ等のスキャナ、チューナ等の電子機器であって、ベースフレーム上に電子機器本体を設けた電子機器にも適用が可能である。
【図面の簡単な説明】
【００３２】
【図１】本発明の一実施形態に係る記録装置の外観を示す正面斜視図である。
【図２】記録機構部の斜視図である。
【図３】本体フレームの背面斜視図である。
【図４】記録装置の断面図である。
【図５】基板近傍の背面斜視図である。
【図６】リア基板カバーの斜視図である。
【図７】テープの拡大断面図である。
【符号の説明】
【００３３】
１０…メイン基板（第１の基板）、１１…インタフェース基板（第２の基板）、１３…リア基板カバー（基板カバー）、１３ｅ…リア基板カバー庇部（基板カバー庇部）、２０…記録機構部、２４…ベースフレーム、２４ａ…ベースフレーム開口部（ベースフレームの開口）、２４ｂ…起立部、４０…テープ（シート部材）、１００…サーマルプリンタ（記録装置）、Ｂ…リア基板カバー下端（基板カバーの下端）、Ｐ…起立部上端（起立部の上端）。
【図１】
2007050618.tif 000003
【図２】
2007050618.tif 000004
【図３】
2007050618.tif 000005
【図４】
2007050618.tif 000006
【図５】
2007050618.tif 000007
【図６】
2007050618.tif 000008
【図７】
2007050618.tif 000009